(57)【要約】【課題】レンチキュラレンズ等の三次元領域を劣化を防止する。【解決手段】画像が形成された第１媒体１１と、この第１媒体１１上に積層され、第１媒体１１上の画像を屈折させて透過させる三次元領域２１と、第１媒体１１上の画像をそのまま透過させる二次元領域２２と、を含んだ第２媒体１２とを有し、この第２媒体１２の二次元領域２２の厚さが、三次元領域２１の厚さよりも大きい画像記録媒体である。【選択図】図１
2013178363.tif 000002
【特許請求の範囲】
【請求項１】
画像が形成された第１媒体と、
前記第１媒体上に積層され、
前記第１媒体上の画像を屈折させて透過させる三次元領域と、
前記第１媒体上の画像をそのまま透過させる二次元領域と、
を含んだ第２媒体とを有し、
前記第２媒体の二次元領域の厚さが、前記三次元領域の厚さよりも大きい画像記録媒体。
【請求項２】
少なくとも、前記二次元領域の表面に、筆記材料を保持する凹凸を形成してなる請求項１記載の画像記録媒体。
【請求項３】
特殊効果画像を第１媒体上に形成する工程、
前記第１媒体上の特殊効果画像の形状に、前記特殊効果画像を屈折させて透過させる三次元領域部材を形成する工程、
前記材料以上の厚さを有し、前記第１媒体上の特殊効果画像の形状をくりぬいた平板状の二次元領域部材を形成する工程、及び
前記第１媒体上の特殊効果画像に対応する位置に、前記三次元領域部材を重ね合わせて接着するとともに、前記くりぬいた部分を当該三次元領域部材に位置合わせして、前記二次元領域部材を前記第１媒体に重ね合わせて接着する工程、
を含む画像記録媒体の製造方法。
【発明の詳細な説明】
【技術分野】
【０００１】
本発明は、画像記録媒体及びその製造方法に関する。
【背景技術】
【０００２】
画像を印刷媒体ＰＡ上に形成するイメージングユニットと、画像が形成された印刷媒体ＰＡ上にレンチキュラレンズＬＳを形成するレンズ形成部と、を備え、レンズ形成部が、好ましくは、レンチキュラレンズＬＳを印刷媒体ＰＡの一部領域ＲＧに形成するという技術が特許文献１に開示されている。
【先行技術文献】
【特許文献】
【０００３】
【特許文献１】特開２００９−１１６１３９号公報
【発明の概要】
【発明が解決しようとする課題】
【０００４】
一部にレンチキュラレンズ等の三次元領域を形成して、画像に特殊効果（立体視やいわゆるチェンジング等）を付与した記録媒体は、これらを互いに重ねたとき、下側になった媒体の三次元領域に上側になった媒体の裏面が接してこすれてしまい、レンチキュラレンズ等の三次元領域を劣化させることがあった。
【課題を解決するための手段】
【０００５】
請求項１記載の発明は、画像記録媒体であって、画像が形成された第１媒体と、前記第１媒体上に積層され、前記第１媒体上の画像を屈折させて透過させる三次元領域と、前記第１媒体上の画像をそのまま透過させる二次元領域と、を含んだ第２媒体とを有し、前記第２媒体の二次元領域の厚さが、前記三次元領域の厚さよりも大きいこととしたものである。
【０００６】
請求項２記載の発明は、請求項１記載の画像記録媒体であって、少なくとも、前記二次元領域の表面に、筆記材料を保持する凹凸を形成してなることとしたものである。
【０００７】
請求項３記載の発明は、画像記録媒体の製造方法であって、特殊効果画像を第１媒体上に形成する工程、前記第１媒体上の特殊効果画像の形状に、前記特殊効果画像を屈折させて透過させる三次元領域部材を形成する工程、前記材料以上の厚さを有し、前記第１媒体上の特殊効果画像の形状をくりぬいた平板状の二次元領域部材を形成する工程、及び前記第１媒体上の特殊効果画像に対応する位置に、前記三次元領域部材を重ね合わせて接着するとともに、前記くりぬいた部分を当該三次元領域部材に位置合わせして、前記二次元領域部材を前記第１媒体に重ね合わせて接着する工程、を含むこととしたものである。
【発明の効果】
【０００８】
請求項１記載の発明によると、三次元領域よりも二次元領域の厚さが小さい場合に比べ重ね合わせたときに上側となった媒体の裏面が三次元領域に接する機会が低減される。
【０００９】
請求項２記載の発明によると、二次元領域における筆記が可能となる。
【００１０】
請求項３記載の発明によると、三次元領域よりも二次元領域の厚さを大きくした画像記録媒体を製造できる。
【図面の簡単な説明】
【００１１】
【図１】本実施の形態の画像記録媒体の例を表す斜視図である。
【図２】本実施の形態の画像記録媒体の三次元領域を含む面で破断した例を示す断面図である。
【図３】本実施の形態の画像記録媒体の第２媒体を形成するための成形型の例を表す概略の斜視図である。
【図４】本実施の形態の画像記録媒体の第２媒体を形成するための成形型の断面の例を表す概略の断面図である。
【図５】本実施の形態の画像記録媒体の第２媒体の概略の製造方法例を表す流れ図である。
【発明を実施するための形態】
【００１２】
本発明の実施の形態について図面を参照しながら説明する。本実施の形態に係る画像記録媒体１は、図１に例示するように、互いに積層して配された第１媒体１１と第２媒体１２とを含んで構成される。ここで第１媒体１１の面のうち、少なくとも第２媒体１２が配される側の面には、特殊効果画像を含んだ画像が形成されている。
【００１３】
ここで特殊効果画像は例えばレンチキュラ画像である。ここでレンチキュラ画像は、広く知られているものであるので簡便に説明をすると、予め複数ｎ種類の画像Ｖ1，Ｖ2，…Ｖｎをそれぞれ予め定めたラインずつ、短冊状の画像部分（各画像Ｖiについて、Ｖi,1，Ｖi,1，…）に切断し、Ｖ１からＶｎの画像から切出した短冊状の画像部分を一組として、この組を繰返して、短冊の長手方向に対する方向（長手方向に直交する方向）に配列したものである。つまり順次、Ｖ1,1，Ｖ2,1，…Ｖn,1，Ｖ1,2，Ｖ2,2…，Ｖn-mというように配列したものである。
【００１４】
第２媒体１２には、三次元領域２１と、二次元領域２２とが形成されている。ここで三次元領域２１は、第１媒体１１上で対応する部分（直下の部分）の画像を屈折させて透過させるレンズを形成した領域である。また二次元領域２２は、第１媒体１１上で対応する部分の画像をそのまま透過させる。本実施の形態では、三次元領域２１は、その周囲を二次元領域２２で囲まれている。つまり三次元領域２１は、第２媒体１２の周縁部には接しないよう配されている。
【００１５】
三次元領域２１に含まれるレンズは、非晶質ポリエチレンテレフタレート（Ａ−ＰＥＴ）など、光透過性を有する樹脂、その他の透明の材質を成形して得たレンチキュラレンズを配列したものである。
【００１６】
また二次元領域２２は、非晶質ポリエチレンテレフタレート（Ａ−ＰＥＴ）等、光透過性を有する樹脂、その他の透明な材質を成形したものであり、その表面は実質的に平滑面となっている。
【００１７】
本実施の形態においては、画像記録媒体１の底面から三次元領域２１に含まれるレンチキュラレンズの頂部までの高さよりも、画像記録媒体１の底面から二次元領域２２の面までの高さが高くなるように、第２媒体１２の各領域が形成されている。つまり、これら三次元領域２１と二次元領域２２との断面は、図２に例示するようになる。
【００１８】
図２に示すように、第２媒体１２の三次元領域２１のレンチキュラレンズの断面は、半円筒形状の（シリンドリカル）レンズ部が繰返し配されたものとなる。ここで三次元領域２１の厚さ（画像記録媒体１の底面からの厚さ）が最大厚となっている部分の三次元領域２１の厚さをＤとする。一方、二次元領域２２のうち、少なくとも三次元領域２１に接する部分の厚さ（画像記録媒体１の底面からの厚さ）をｄとする。すると、本実施の形態の画像記録媒体では、第２媒体１２の、この三次元領域２１の最大厚Ｄが、厚さｄより小さく（Ｄ≦ｄ）なるよう、三次元領域２１と二次元領域２２とが形成されていることとなる。なお、二次元領域２２の厚さは、第２媒体１２内のどこでも実質的に同じでもよい。また少なくとも画像記録媒体１の周縁部においては、他の画像記録媒体１と実質的に同じ厚さとしておくこととしてもよい。
【００１９】
次に、この画像記録媒体の製造方法について述べる。この画像記録媒体は、第２媒体１２を予め成形しておき、成形後の第２媒体１２を、画像を形成した第１媒体１１上に貼付ける方法で製造される。
【００２０】
本実施の形態では、第２媒体１２が事前に成形される。この方法の一例においては、第２媒体１２の成形型３が用いられる。この成形型３は、第２媒体１２の大きさの板状体の表面に第２媒体１２を成形するための賦形面を形成したものである。
【００２１】
すなわち、本実施の形態の成形型３は、図３（ａ）にその表面を例示するように、三次元領域２１を賦形する三次元領域部３１と、二次元領域を賦形する二次元領域部３２とを有する。ここで三次元領域部３１は、形成するべきレンチキュラレンズの形状を賦形するために、断面が半円形状をなす短冊状凹部を繰返し形成したものである。また二次元領域部３２は、実質的に平滑面となっている。なお、ここではレンチキュラレンズの形状を明確にするために、三次元領域部３１には少数の凹部を図示しているが、現実には、この三次元領域部３１にはより多数の凹部が形成されてもよい。
【００２２】
この成形型３を、三次元領域部３１の短冊状凹部を凹部の延伸方向に交差する方向で破断した断面図を図４に示す。図４に例示するように、成形型３には、実質的に平滑面となっている二次元領域部３２に対し、高さｈだけ凸となり、その内部に半円形状の凹部を有する三次元領域部３１が形成されている。ここで三次元領域部３１の凹部はｈ−ｇ（０≦ｇ≦ｈ）の深さを有し、従って、凹部の最低部と二次元領域部３２の面との高さはｇだけ異なる（あるいは同一面にある（ｇ＝０の場合））。
【００２３】
本実施の形態の一例では、図５に示すように、この成形型３に対してＡ−ＰＥＴ等の樹脂４０の溶融体を、ノズル３５で吐出して、成形型３の最も低い面からの厚さがｄ（ｄ＞ｈ）になるように塗布する（図５（ａ））。なお、成形型３の外周にはこの厚さだけの壁を設けてもよい。同様に成形型３において、溶融したレンチキュラレンズの材料たる樹脂が二次元領域部３２に漏れ出さないよう、三次元領域部３１を取囲む高さｈの壁を設けておいてもよい。
【００２４】
樹脂４０が固化したところで成形型３から剥離し（図５（ｂ））、その外周を刃３６で切断して第２媒体１２の形状とする（図５（ｃ））。そして樹脂４０の裏面（レンチキュラレンズが形成された面と反対側の面）に接着剤４１を塗布して第２媒体１２を得る（図５（ｄ））。
【００２５】
こうして得た第２媒体１２においては、二次元領域２２の厚さよりも三次元領域２１の最大厚（レンチキュラレンズの頂部における厚さ）が、ｇだけ小さくなっている。
【００２６】
一方、この第２媒体１２の三次元領域２１に対応する部分にレンチキュラ画像を形成した第１媒体１１を形成する。このレンチキュラ画像の形成方法は広く知られているのでその詳しい説明を省略する。そして第１媒体１１のレンチキュラ画像が形成された部分に、第２媒体１２の三次元領域２１を位置合わせして、第１媒体１１と第２媒体１２とを貼り合わせる。こうして、本実施の形態の画像記録媒体１が得られる。
【００２７】
また本実施の形態の別の製造方法では、非晶質ポリエチレンテレフタレート（Ａ−ＰＥＴ）など、光透過性を有する樹脂、その他の透明の材料を用いた厚さｄの平板状の樹脂４０ａを成形しておくとともに、図３（ｂ）にその表面を例示する成形型３′を用いて、三次元領域２１に相当する部分を成形する。
【００２８】
この例における成形型３′は、三次元領域２１を賦形する三次元領域部３１を有する。この三次元領域部３１は、図３（ａ）に示した成形型３と同様に、形成するべきレンチキュラレンズの形状を賦形するために、断面が半円形状をなす短冊状凹部を繰返し形成したものである。なお、ここでもレンチキュラレンズの形状を明確にするために、三次元領域部３１には少数の凹部を図示しているが、現実には、この三次元領域部３１にはより多数の凹部が形成されてもよい。
【００２９】
そしてこの成形型３′に対してＡ−ＰＥＴ等の樹脂の溶融体を、ノズル３５で吐出して、成形型３′の最も低い面からの厚さがＤ（ｄ≧Ｄ＞ｈ）になるように塗布する。なお、成形型３′の外周にはこの厚さだけの壁を設けてもよい。
【００３０】
成形型３′内の樹脂が固化したところで、樹脂を成形型３′から剥離し、その外周を切断して三次元領域２１の形状とする。そしてこの樹脂の裏面（レンチキュラレンズが形成された面と反対側の面）に接着剤４１を塗布する。こうして得た三次元領域２１の形状の樹脂４０ｂを、その一部にレンチキュラ画像を形成した第１媒体１１に積層して接着する。ここではレンチキュラ画像に位置合わせし、レンチキュラ画像に含まれる短冊状の画像の長手方向と、樹脂４０ｂに成形されたレンチキュラレンズの長手方向とが一致する向きに樹脂４０ｂを接着する。
【００３１】
一方で、平板状の樹脂４０ａから、レンチキュラ画像に相当する形状の部分をくりぬく。そして第１媒体１１に既に接着されている樹脂４０ｂと、樹脂４０ａの、くりぬいた部分とを位置合わせして、樹脂４０ａを第１媒体１１に接着する。この平板状の樹脂４０ａが二次元領域２２となり、先に接着されている樹脂４０ｂが三次元領域２１となって、これらによって第２媒体１２が形成される。
【００３２】
この例においても、ｄ≧Ｄとなっているので、二次元領域２２の厚さよりも三次元領域２１の最大厚（レンチキュラレンズの頂部における厚さ）が、ｇ＝ｄ−Ｄだけ小さくなっている。
【００３３】
また本実施の形態において、第２媒体１２の二次元領域２２表面には、筆記材料を保持する凹凸が形成されてもよい。ここで、「筆記材料を保持する凹凸が形成」された状態とは、「その凹凸によって筆記が可能」である状態を意味している。具体的構成としては、二次元領域２２の表面にサンドブラスト等の広く知られた方法で、透過性に影響を与えない程度の凹凸を形成すればよい。
【００３４】
本実施の形態によると、三次元領域よりも二次元領域の部分が厚くなっていることで、画像記録媒体同士を重ね合わせたときに三次元領域のレンチキュラレンズを擦ることがなく、その劣化を防止できる。また二次元領域表面に凹凸を形成することで、その筆記性を向上できる。
【符号の説明】
【００３５】
１  画像記録媒体、３，３′  成形型、１１  第１媒体、１２  第２媒体、２１  三次元領域、２２  二次元領域、３１  三次元領域部、３２  二次元領域部、３５  ノズル、３６  刃、４０  樹脂、４１  接着剤。
【図１】
2013178363.tif 000003
【図２】
2013178363.tif 000004
【図３】
2013178363.tif 000005
【図４】
2013178363.tif 000006
【図５】
2013178363.tif 000007